(57)【要約】【課題】足先への機械的刺激によるマッサージと足湯を併用できるマッサージ器の提供。【解決手段】被施療者の足先７を出し入れするための出し入れ開口54を具えた足湯用の袋状容器５と、該袋状容器をセットするマッサージ器本体１とによって構成され、マッサージ器本体１は、前記袋状容器５を収容できるカバー体４及び被施療者の足先７をマッサージするマッサージ手段３を具え、カバー体４の上部には袋状容器５をカバー体４内に挿脱するための挿脱開口44が設けられ、袋状容器５は軟質材によってフレキシブルに形成され、袋状容器５をカバー体４内に収容した状態で袋状容器５の出し入れ開口54はカバー体４の挿脱開口44に重なり可能に位置している。【選択図】図１
2010136849.tif 000002
【特許請求の範囲】
【請求項１】
被施療者の足先(７)を出し入れするための出し入れ開口(54)を具えた足湯用の袋状容器(５)と、該袋状容器(５)をセットするマッサージ器本体(１)とによって構成され、マッサージ器本体(１)は、前記袋状容器(５)を収容できるカバー体(４)及び被施療者の足先(７)をマッサージするマッサージ手段(３)を具え、カバー体(４)の上部には袋状容器(５)をカバー体(４)内に挿脱するための挿脱開口(44)が設けられ、袋状容器(５)は軟質材によってフレキシブルに形成され、袋状容器(５)をカバー体(４)内に正しく収容した状態で袋状容器(５)を介してマッサージ手段(３)により足先(７)にマッサージを施せるようにしたマッサージ器。
【請求項２】
袋状容器(５)の出し入れ開口(54)は、カバー体(４)の挿脱開口(44)に重なり可能に形成されている、請求項１に記載のマッサージ器。
【請求項３】
マッサージ器本体(１)は、足先(７)へ叩き、押圧、揉み、振動、伸ばしの内、少なくとも１つの機械的刺激を直接的に作用させてマッサージを施すことのできるマッサージ手段(３)を具えている、請求項１又は２に記載のマッサージ器。
【請求項４】
袋状容器(５)は、被施療者のつま先から足首までを収容できる前後長さを有し、後部の上端に出し入れ開口(54)が位置して、つま先から足首近くまで挿入可能である、請求項１乃至３の何れかに記載のマッサージ器。
【請求項５】
カバー体(４)の内面は、湯の入った袋状容器(５)が当たって該袋状容器(５)の変形を規制する役割を成し、カバー体(４)の挿脱開口(44)の開口縁には外側に湾曲して先端縁が下に向くフランジ(45)が形成され、袋状容器(５)の出し入れ開口(54)の開口縁には該フランジ(45)に被さり且つ該フランジの先端縁の全周に亘って引っ掛かり可能な係止部(55)を有している、請求項１乃至４の何れかに記載のマッサージ器。
【請求項６】
マッサージ器本体(１)のカバー体(４)の一部は開閉可能な蓋体(49)によって形成され、蓋体(49)を開くと挿脱開口(44)が拡がる、請求項１乃至５の何れかに記載のマッサージ器。
【請求項７】
マッサージ器本体(１)には、カバー体(４)内を加熱するヒータ(６)が配備されている、請求項１乃至６の何れかに記載のマッサージ器。
【請求項８】
両足先(７)(７)を収容できる袋状容器(５)には、該袋状容器(５)の中央部の底壁(51)が上向きに凹んで袋状容器(５)を片足づつ収容できる２つの部屋(50)(50)に仕切る様に中空で下面開口の仕切り部(58)が形成され、マッサージ器本体(１)には、該仕切り部(58)内に位置して、両足先の対向する内側面に対する補助マッサージ用のエアーバッグ(35)が配備されている、請求項１乃至７の何れかに記載のマッサージ器。
【請求項９】
マッサージ器本体(１)は、袋状容器(５)を載せる載せ板(21)を具えた基台(２)を有し、基台(２)内にマッサージ手段(３)を配備し、マッサージ手段(３)は、載せ板(21)に開設した孔(23)から臨出して袋状容器(５)内の足先(７)に機械的刺激を付与することのできる押圧部材(31)を具えている、請求項１乃至８の何れかに記載のマッサージ器。
【発明の詳細な説明】
【技術分野】
【０００１】
本発明は、足湯をしながら足先に叩き、揉み、振動、押圧等の機械的刺激によるマッサージを施すことのできるマッサージ器に関する。
【背景技術】
【０００２】
足湯は、疲労回復、ダイエット等に効果が期待でき、昨今の健康ブームで足湯器の需要が増しつつある。
足湯器に関しては、足先にスチームを当てるもの(特許文献１)や、槽内の袋に足先を入れ、該袋の外側に湯を投入して湯を直接に肌に接触させないもの(特許文献２)、足先を浸ける槽全体を振動させて足先へマッサージ効果を得ようとするもの(特許文献３)等、種々の形態のものが提案されている。
【０００３】
【特許文献１】特開２００６−５１１３８号公報
【特許文献２】特開２００７−２７５４１４号公報
【特許文献３】特開２００３−２２０１１４号公報
【発明の開示】
【発明が解決しようとする課題】
【０００４】
特許文献３のマッサージ器の場合、湯槽の振動によるマッサージと足湯を併用できるという、特許文献１、２にはない特徴を有するが、直接的に足先に機械的刺激を与えるマッサージに較べて、マッサージ効果は小さい、又、湯を入れた重量の嵩む槽を振動させるためのエネルギー消費量は大である。
又、槽への湯の投入、排出にポンプを用いると、構成が大掛かりとなり、コスト高となる。
本発明は、足湯と、足先への直接的な機械的刺激によるマッサージを併用でき、且つ、構成を大掛かりにすることなく、湯の入れ替えも簡単にできる、マッサージ器を明らかにするものである。
【課題を解決するための手段】
【０００５】
請求項１のマッサージ器は、被施療者の足先(７)を出し入れするための出し入れ開口(54)を具えた足湯用の袋状容器(５)と、該袋状容器(５)をセットするマッサージ器本体(１)とによって構成され、マッサージ器本体(１)は、前記袋状容器(５)を収容できるカバー体(４)及び被施療者の足先(７)をマッサージするマッサージ手段(３)を具え、カバー体(４)の上部には袋状容器(５)をカバー体(４)内に挿脱するための挿脱開口(44)が設けられ、袋状容器(５)は軟質材によってフレキシブルに形成され、袋状容器(５)をカバー体(４)内に正しく収容した状態で袋状容器(５)を介してマッサージ手段(３)により足先(７)にマッサージを施せるようにしている。
【０００６】
請求項２は、請求項１のマッサージ器において、袋状容器(５)の出し入れ開口(54)はカバー体(４)の挿脱開口(44)に重なり可能に形成されている。
【０００７】
請求項３は、請求項１又は２のマッサージ器において、足先(７)へ叩き、押圧、揉み、振動、伸ばしの内、少なくとも１つの機械的刺激を直接的に作用させてマッサージを施すことのできるマッサージ手段(３)を具えている。
【０００８】
請求項４は、請求項１又は３に記載のマッサージ器において、袋状容器(５)は、被施療者のつま先から足首までを収容できる前後長さを有し、後部の上端に出し入れ開口(54)が位置して、つま先から足首近くまで挿入可能である。
【０００９】
請求項５は、請求項１乃至４の何れかに記載のマッサージ器において、カバー体(４)の内面は、湯の入った袋状容器(５)が当たって該袋状容器(５)の変形を規制する役割を成し、カバー体(４)の挿脱開口(44)の開口縁には外側に湾曲して先端縁が下に向くフランジ(45)が形成され、袋状容器(５)の出し入れ開口(54)の開口縁には該フランジ(45)に被さり且つ該フランジの先端縁の全周に亘って引っ掛かり可能な係止部(55)を有している。
【００１０】
請求項６は、請求項１乃至５の何れかに記載のマッサージ器において、マッサージ器本体(１)のカバー体(４)の一部は開閉可能な蓋体(49)によって形成され、蓋体(49)を開くと挿脱開口(44)が拡がる。
【００１１】
請求項７は、請求項１乃至６の何れかに記載のマッサージ器において、マッサージ器本体(１)には、カバー体(４)内を加熱するヒータ(６)が配備されている。
【００１２】
請求項８は、請求項１乃至７の何れかに記載のマッサージ器は、両足先(７)(７)を収容できる袋状容器(５)には、該袋状容器(５)の中央部の底壁(51)が上向きに凹んで袋状容器(５)を片足づつ収容できる２つの部屋(50)(50)に仕切る様に中空で下面開口の仕切り部(58)が形成され、マッサージ器本体(１)には、該仕切り部(58)内に位置して、両足先の対向する内側面に対する補助マッサージ用のエアーバッグ(35)が配備されている。
【００１３】
請求項９は、請求項１乃至８の何れかに記載のマッサージ器において、マッサージ器本体(１)は、袋状容器(５)を載せる載せ板(21)を具えた基台(２)を有し、基台(２)内にマッサージ手段(３)を配備し、マッサージ手段(３)は、載せ板(21)に開設した孔(23)から臨出して袋状容器(５)内の足先(７)に機械的刺激を付与することのできる押圧部材(31)を具えている。
【発明の効果】
【００１４】
請求項１以下のマッサージ器は、足湯と機械的なマッサージを併用できるから、足の疲労回復に極めて効果的である。
足湯用の袋状容器(５)は、軟質材によって屈曲自由に形成されているから、袋状容器(５)に湯が入った状態で、カバー体(４)の挿脱開口(44)から袋状容器(５)を取り出して、湯を捨てることができ、マッサージ器本体(１)を逆さにして湯を捨てなければならない労力は必要としない。
又、湯を入れた袋状容器(５)を湯が零れない程度に変形させてマッサージ器本体(１)の挿脱開口(44)からカバー体(４)内に挿入することもできるので、給湯器等、湯のある場所まで、マッサージ器本体(１)を運ぶ必要もない。
【００１５】
又、請求項２以下のマッサージ器は、袋状容器(５)の出し入れ開口(54)がカバー体(４)の挿脱開口(44)に重なって、袋状容器(５)の出し入れ開口(54)の位置決めができる。
【００１６】
請求項５以下のマッサージ器は、袋状容器(５)の出し入れ開口(54)の開口縁に設けた係止部(55)が、カバー体(４)の挿脱開口(44)の開口縁のフランジ(45)に引っ掛かって、袋状容器(５)の出し入れ開口(54)を確実に位置決めできる。このため、該出し入れ開口(54)がカバー体(４)内へ沈み込んで、カバー体(４)内で袋状容器(５)の湯が溢れることを確実に防止できる。
【００１７】
請求項６以下のマッサージ器は、カバー体(４)の一部である蓋体(49)を開いて、挿脱開口(44)を大きくすることによって、袋状容器(５)の挿脱が一層容易となる。
【００１８】
請求項７以下のマッサージ器は、内蔵したヒータ(６)によって、袋状容器(５)内の湯が冷めることを防止できる。
【００１９】
請求項８以下のマッサージ器は、袋状容器(５)を仕切る仕切り部(58)内に位置するエアーバッグ(35)の拡縮によって、仕切り部(58)の壁面が足先(７)の内くるぶし側の面を断続的に押して、マッサージできる。
【００２０】
請求項９のマッサージ器は、載せ板(21)に袋状容器(５)を載せてマッサージ器本体(１)に袋状容器(５)を安定してセットできるので、袋状容器(５)に入れた足先(７)の位置も安定する。
【発明を実施するための最良の形態】
【００２１】
図１は本発明の一例を示すマッサージ器であって、足湯用の袋状容器(５)と、該袋状容器(５)をセットするマッサージ器本体(１)とによって構成される。
【００２２】
図２、図３、図４に示す袋状容器(５)は、被施療者の両足先(７)(７)を一緒に挿入可能な大きさである。
本発明において足先(７)とは、つま先から足首周辺までを指す。
袋状容器(５)の底壁(51)は正方形に近い略長方形であり、両足先(７)(７)を少し開いた状態で、容器底面の長手方向沿う様にして両足裏を余裕のある状態で載せることができる。
袋状容器(５)の周壁(52)は、底壁(51)の外周部から外側に丸く湾曲しながら立ち上がり、つま先側では足の甲に余裕のある状態で被さる天井壁(53)に連続し、踵側及び左右両側は真上に立ち上がっている。
袋状容器(５)はゴム、合成樹脂樹脂にてフレキシブルに形成されている。
以下の説明で、袋状容器(５)のつま先側を「前」、踵側を「後」とする。
【００２３】
袋状容器(５)の後部上端に、両方の足先(７)(７)を出し入れする出し入れ開口(54)が設けられている。
出し入れ開口(54)は、袋状容器(５)の底壁(51)の長手方向と直交して左右に長い略長方形を呈している。
上記出し入れ開口(54)の開口縁には、後記するマッサージ器本体(１)のカバー体(４)のフランジ(45)に被さり且つ該フランジの先端縁の全周に亘って引っ掛かり可能なチューブ状の引っ掛かり凸条(56)を具えたフランジ状の係止部(55)を有している。
袋状容器(５)の出し入れ開口(54)は、上記係止部(55)が全周に亘って突設されていることにより他の部分より腰があり、強い弾性復帰力を有する。
袋状容器(５)の出し入れ開口(54)の両端に、持ち手(57)(57)が突設されている。
【００２４】
図１に示す如く、マッサージ器本体(１)は、袋状容器(５)を載せる基台(２)と、基台(２)内に収容したマッサージ手段(３)と、袋状容器(５)の変形を規制するカバー体(４)とによって構成される。
【００２５】
基台(２)は袋状容器(５)を載せる載せ板(21)と、該載せ板(21)の外周縁から垂下した枠状の周壁(22)とによって、底面開口の中空扁平な箱体を呈している。
載せ板(21)は、袋状容器(５)の底壁(51)がはみ出さない程度の大きさである。
載せ板(21)には、図１、図２に示す如く、載せ板(21)上の両足裏のつま先側、土踏まず、踵側の３つの位置に対応する様に、前後方向に３個づつ丸孔(23)(23)(23)が開設されている。
【００２６】
基台(２)内には、上記載せ板(21)の各丸孔(23)の位置に対応してマッサージ手段(３)が配備されている。
マッサージ手段(３)は、上面に複数の押圧突起(31)を具えた押圧部材(32)と該押圧部材を昇降させる昇降駆動部(37)とからなる。
押圧部材(32)は前記載せ板(21)の丸孔(23)に出没可能な円形であり、押圧部材(32)上の前記突起(31)は、押圧部材(32)の中央部から外側に遠ざかるほど突出高が低くなっている。
実施例の昇降駆動部(37)はソレノイド(33)である。
土踏まずの位置に対応するマッサージ手段(３)は、他のマッサージ手段より一段高く位置しており、押圧突起(31)が載せ板(21)の孔(23)から外側に臨出している。
【００２７】
カバー体(４)は、基台(２)の下面開口を塞ぎ且つ、湯の入った袋状容器(５)の周壁(52)及び天井壁(53)に接して包囲可能な大きさであり、該袋状容器(５)の変形を規制する変形規制壁の役割を成す。
カバー体(４)の後部上端には、袋状容器(５)の出し入れ開口(54)に重なる挿脱開口(44)を有している。
カバー体(４)の挿脱開口(44)から前側の天井カバー部(43)は、足先(７)の甲の傾斜に対応して前側へ低く傾斜している。
天井カバー部(43)には操作部ボックス(46)が形成され、該操作部ボックス(46)上に操作スイッチ(48)、内部にスイッチ基板(47)が配備される。
【００２８】
カバー体(４)の挿脱開口(44)の開口縁には外側に上膨らみに半円状に湾曲して先端縁が下に向くフランジ(45)が形成されている。
前記した袋状容器(５)の出し入れ開口(54)の開口縁に設けた係止部(55)が、上記フランジ(45)に被さり、該係止部(55)の先端縁の引っ掛かり凸条(56)が、該フランジ(45)の先端縁に巻き込み気味に引っ掛かり可能である。
【００２９】
然して、上記マッサージ器は、カバー体(４)内にセットされ湯の入った袋状容器(５)に足先(７)を入れて、マッサージ手段(３)を作動させると、足湯をしながら、足裏(71)に押圧部材(32)の上下方向の往復動による機械的刺激を受けることができる。
押圧部材(32)を連続して上下に往復させると叩きマッサージとなり、低速で上昇させ上昇端で停止させ、次いで下降させることを繰り返す様に制御すると、指圧マッサージとなる。
【００３０】
袋状容器(５)が変形自由であっても、マッサージ器本体(１)の載せ板(21)とカバー体(４)が袋状容器(５)の変形を規制するから、内部の湯が溢れる様な袋状容器(５)の大きな変形は防止される。
袋状容器(５)を載せ板(21)に載せてマッサージ器本体(１)に安定してセットできるので、袋状容器(５)内の足先(７)の位置も、足裏が載せ板(21)に支えられて安定する。
【００３１】
屈曲自由な袋状容器(５)は、湯が零れない程度に変形させてカバー体(４)の挿脱開口(44)から取り出してから、湯を捨てることができる。このため、マッサージ器本体(１)を逆さにして湯を捨てなければならない労力は必要としない。
又、湯を入れた袋状容器(５)をマッサージ器本体(１)の挿脱開口(44)からカバー体(４)内に挿入することもできるので、給湯器等、湯のある場所までマッサージ器本体(１)を運ぶ必要もない。
【００３２】
又、袋状容器(５)の出し入れ開口(54)がカバー体(４)の挿脱開口(44)に重なって、袋状容器(５)の出し入れ開口(54)の位置決めができる。
更に、袋状容器(５)の出し入れ開口(54)の開口縁に設けた係止部(55)が、カバー体(４)の挿脱開口(44)の開口縁のフランジ(45)に被さり係止部(55)先端の引っ掛かり凸条(56)が該フランジ(45)の先端に引っ掛かって、袋状容器(５)の出し入れ開口(54)を確実に位置決めできる。このため、該出し入れ開口(54)がカバー体(４)内へ沈み込んで、カバー体(４)内で袋状容器(５)の湯が溢れることを確実に防止できる。
【００３３】
図５はカバー体(４)の天井部(43)を開閉可能な蓋体(49)で形成したマッサージ器の他の実施例である。蓋体(49)は、挿脱開口(44)の前側縁(44a)を含んでおり、蓋体(49)を開くと、挿脱開口(44)が前側に大きく拡大し、袋状容器(５)の取り出しの際に、袋状容器(５)を殆んど変形させずとも取り出しでき、袋状容器(５)の扱いが容易となる。
【００３４】
尚、カバー体(４)の基台(２)から上の後壁全体を開閉可能としても、袋状容器(５)をカバー体(４)の後部から、カバー体(４)内へ容易に挿脱することができる。
【００３５】
図６は、足先(７)のマッサージ用エアーバッグ(35)(36)(36)を具えたマッサージ器の他の実施例である。
袋状容器(５)には、該袋状容器の底壁(51)の中央部を上向きに大きく凹ませて袋状容器(５)を左右２つの２つの部屋(50)(50)に仕切る中空で下面開口の仕切り部(58)が形成されている。
各部屋(50)は片足の足先(７)が収容できる大きさである。
マッサージ器本体(１)には、上記仕切り部(58)内、及びカバー体(４)の左右両側壁と袋状容器(５)との間にエアーバッグ(35)(36)(36)が配備されている。
基台(２)内に、エアーバッグ(35)(36)(36)を拡縮するポンプ(図示せず)が配備されている。
仕切り部(58)内に位置するエアーバッグ(35)の拡縮によって、両足先(７)の内くるぶし側の面を、外側のエアーバッグ(36)(36)によって、外くるぶし側の面をマッサージできる。
【００３６】
マッサージ手段(３)は、上記した押圧部材(32)による叩き又は指圧(押圧)マッサージ、エアーバックによる押圧マッサージ以外にも、挟圧子等による揉み、ローラ移動にる伸ばし、振動子の振動による振動マッサージ等、種々のマッサージが実施できるものを選択できる。
【００３７】
又、図１に二点鎖線で示す様に、カバー体(４)の天井カバー部(43)の内面等、カバー体(４)或いは基台(２)上の適所にヒータ(６)を設けて、袋状容器(５)内の湯が冷めない様にすることもできる。
【００３８】
尚、マッサージ器本体(１)から袋状容器(５)を外して、マッサージ器本体(１)内の載せ板(21)に直接に足裏(71)を載せて、マッサージを受けることも勿論可能である。
【００３９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００４０】
【図１】使用状態のマッサージ器の断面図である。
【図２】同上の平面図である。
【図３】湯を入れた袋状容器の断面図である。
【図４】袋状容器の平面図である。
【図５】カバー体の天井カバー部が開閉できるマッサージ器の他の実施例の断面図である。
【図６】エアーバッグを具えた他の実施例のマッサージ器の断面図である。
【符号の説明】
【００４１】
１  マッサージ器本体
２  基台
21  載せ板
３  マッサージ手段
４  カバー体
43  天井カバー部
44  挿脱開口
45  フランジ
５  袋状容器
54  出し入れ開口
55  係止部
６  ヒータ
【図１】
2010136849.tif 000003
【図２】
2010136849.tif 000004
【図３】
2010136849.tif 000005
【図４】
2010136849.tif 000006
【図５】
2010136849.tif 000007
【図６】
2010136849.tif 000008